(57)【要約】【課題】    横格子部材に垂れが生じることなく、長期間にわたって外観を良好なものとすることのできる装飾パネル体を提供する。【解決手段】    左右縦框と上下横胴縁２２を矩形状に枠組みして枠体を形成し、該枠体内に横格子部材５を配設すると共に、横格子部材５の両端部を縦框に形成した横格子受け凹部３３に嵌合し、横格子部材５を前後方向から縦子部材６によって挟着した装飾パネル体であって、縦子部材６の下部と係合して縦子部材６の下方への移動を規制し、且つ下横胴縁２２と最下端に位置する横格子部材５の間に配設され、下横胴縁２２の長手方向に沿って移動自在とした係合部材８を設ける。【選択図】        図３
2005076342.tif 000002
【特許請求の範囲】
【請求項１】
左右縦框と上下横胴縁を矩形状に枠組みして枠体を形成し、該枠体内に横格子部材を配設すると共に、横格子部材の両端部を縦框に形成した横格子受け凹部に嵌合し、横格子部材を前後方向から縦子部材によって挟着した装飾パネル体であって、縦子部材の下部と係合して縦子部材の下方への移動を規制し、且つ下横胴縁と最下端に位置する横格子部材の間に配設され、下横胴縁の長手方向に沿って移動自在とした係合部材を設けたことを特徴とする装飾パネル体。
【発明の詳細な説明】
【技術分野】
【０００１】
この発明は、フェンス、門扉の主面部を形成するパネル体として有用な装飾パネル体に関するものである。
【背景技術】
【０００２】
従来、フェンス、門扉等の主面部を形成する装飾パネル体として、擬竹材を使用した人工竹垣が採用されている。このような人工竹垣として、パイプ状の擬竹材を並べてパネル状となる竹垣を形成したものが知られている。
特許文献１に示されるのは、外枠の内側に複数のパイプ状丸竹を並べたものが示されている。このような人工竹垣は、塩ビ等の合成樹脂によって擬竹材を形成し、金属によって形成される外枠によって擬竹材の周りを囲んだものである。
【０００３】
図７に示した装飾パネル体はその具体例であり、上下横胴縁２と左右縦框３によって枠体４を形成し、左右縦框３に形成した横格子受け凹部３３に横格子部材５の端部を嵌合し、横格子部材５の前後位置を前後から挟着する縦子部材６によって位置規制したものである。縦子部材６は横格子部材５に銅線７等を用いて結着しており、シュロ縄によってさらに結着することにより装飾効果を高めている。よって、縦子部材６の荷重は銅線７及びシュロ縄によって連結された横格子部材５によって支持されている。
【０００４】
上記装飾パネル体１によれば、横格子部材５の端部は縦框３の横格子受け凹部３３に嵌入しているものの、中央部分は単に上下に隣接する丸パイプ状の横格子部材５を積み重ねているだけなので、横格子部材５の中心位置にずれが生じると、横格子部材５の重なりが前後にずれを起こし、横格子部材５の中央部に垂れが生じる。さらに、縦子部材６の荷重を横格子部材５が受けているため、縦子部材６によってその垂れが増幅され、長期の使用においては最上端に位置する横格子部材５と上横胴縁２１との間に隙間Ｓが発生し外観の悪化を招くものである（図７参照）。
【０００５】
横格子部材５の垂れは、縦子部材６の上下位置が位置決めされていないこと並びに横格子部材５が受ける縦子部材６の荷重に起因するのであれば、縦子部材６を上下横胴縁２に固着することによって、縦子部材６の上下位置を固定し、縦子部材６の荷重が横格子部材５に掛からないようにする対策が考えられるが、縦子部材６を横胴縁２に固定すると、装飾パネル体１の側端部を切断して横方向の寸法を調整する場合に縦子部材６の位置変更ができなくなる。図８に示したように、仮にビス９によって縦子部材６を横胴縁２に固定した場合、ビス９を外すことにより、縦子部材６の位置調整は可能となるが、最初に縦子部材６を固定してあったビス孔が露出することになり、外観の悪化を招くものである。
【０００６】
【特許文献１】特開平１０−２３８１７４号公報
【発明の開示】
【発明が解決しようとする課題】
【０００７】
本発明の目的は、横格子部材に垂れが生じることなく、長期間にわたって外観を良好なものとすることのできる装飾パネル体を提供することにある。
【課題を解決するための手段】
【０００８】
本発明者は、このような事情に鑑み鋭意検討を重ねた結果、左右縦框と上下横胴縁を矩形状に枠組みして枠体を形成し、該枠体内に横格子部材を配設すると共に、横格子部材の両端部を縦框に形成した横格子受け凹部に嵌合し、横格子部材を前後方向から縦子部材によって挟着した装飾パネル体であって、縦子部材の下部と係合して縦子部材の下方への移動を規制し、且つ下横胴縁と最下端に位置する横格子部材の間に配設され、下横胴縁の長手方向に沿って移動自在とした係合部材を設けたことによって、所期の目的を達成したものである。
【発明の効果】
【０００９】
本発明装飾パネル体によれば、縦子部材は係合部材によって下方への移動を規制されており、この縦子部材によって挟着される横格子部材の上下位置も規制され、横格子部材に垂れが発生せず、外観の良好な装飾パネル体を提供することができる。また、装飾パネル体の側端部を切断して横方向の長さを調整する場合であっても、係合部材は下胴縁の長手方向に沿って移動自在となっているので、縦子部材の横方向における位置調整を簡単に行うことができる。
【発明を実施するための最良の形態】
【００１０】
以下、発明を実施するための最良の形態を実施例に基づき説明する。なお、従来技術と同じ部位については同一符号を用いて説明する。
図１乃至図６は本発明の第１実施例であり、図中１は本発明装飾パネル体を表わす。装飾パネル体１は、フェンスまたは門扉等の主面部を形成するパネル体として使用される。アルミニウム製形材によって形成される上下横胴縁２（２１，２２）と左右縦框３（３１，３２）が方形状に枠組みされており、上下横胴縁２の内部に形成されたビスホール２３に螺入する螺子部材Ｎを用いて、上下横胴縁２の端部に左右縦框３が螺子止めされる。枠体４の内側には複数本の横格子部材５が配設され、横格子部材５は合成樹脂製の中空丸パイプによって形成されている。横格子部材５の両端部は縦框３１，３２に対向して形成した横格子受け凹部３３に嵌入され、横格子部材５の両端部が位置決めされている。本実施例における横格子部材５は竹の外観を呈しており、適当な部位に竹の節に似せた模様が付けられている。
【００１１】
装飾パネル体１の横方向における任意の位置には、縦子部材６が配置されている。縦子部材６は横格子部材５と同様に中空丸パイプ状の合成樹脂によって形成されており、適当な部位に節が形成され竹の風合いを醸し出している。横格子部材５の前後には、２本ずつの合計４本の縦子部材６が配置されており、４本の縦子部材６が銅線７及びシュロ縄を用いて横格子部材５に結着している。よって、横格子部材５は縦子部材６によって挟着され、前後方向における横格子部材５の位置ずれが防止される。なお、シュロ縄は装飾効果を高めることが目的であり、構成上特に必要とするものではない。
【００１２】
縦格子部材６の下方部には切欠孔６１が穿設されており、該切欠孔６１に係合部材８の端部が係合する。係合部材８は金属製板材を折り曲げ形成したものであり、両側に係合部８１が形成されている。係合部８１，８１の間に位置する連結部８２は下横胴縁２２の上面と最下端に位置する横格子部材５の間に位置しており、下横胴縁２２の長手方向に沿って移動可能となっている。このように、係合部材８と係合する縦子部材６は、下方への移動が規制されている。また、縦子部材６の切欠孔６１と係合部材８の係合部８１とが係合するので、縦子部材６が係合部材から容易に外れることはない。
横格子部材５は、縦子部材６によって挟着されているので、隣接する横格子部材５の位置が前後方向においてずれを生じることはない。さらに、縦子部材６は任意の横格子部材５と銅線７によって結着されており、下方向に向けた縦子部材６の荷重は係合部材８によって受け止められているので、横格子部材５に縦子部材６の荷重が掛からず、横格子部材５の垂れを防止できる。
【００１３】
装飾パネル体１の側端部を切断して縦子部材６の横方向における位置を調整する場合、係合部材８は下横胴縁２２の長手方向に沿って移動自在となっているので、横格子部材５を挟着する縦子部材６の力を緩めることにより、係合部材８の位置変更は容易に行うことができる。
【００１４】
図６は本発明装飾パネル体の第２の実施例であり、第１実施例と同じ部分については同一符号を用い、その説明を省略する。第２実施例においては係合部材８が棒状の部材としたものである。棒状の係合部材８とすることにより、縦子部材６に穿設する切欠孔６１の大きさを小さくすることができ、折り曲げ加工等の必要のない係合部材８を安価に形成することができる。なお、第２実施例における係合部材８も下横胴縁２２と最下端に位置する横格子部材５の間に位置しており、下横胴縁２２の上面を移動自在となっている。
【００１５】
以上の構成からなる本発明装飾パネル体１において、係合部材８の形状は縦子部材６と係合する構成であれば種々の形状、材質ものを採用することができる。また、竹垣風の外観とするために、シュロ縄によって装飾効果を高めたが、設けなくても構わない。銅線７を用いて縦子部材６の上下２箇所（シュロ縄を設けた部位）を横格子部材６に結着したが、１箇所あるいは３箇所以上としても構わない。
【図面の簡単な説明】
【００１６】
【図１】本発明装飾パネル体の正面図
【図２】本発明装飾パネル体の中央縦断面図
【図３】本発明装飾パネル体の要部拡大縦断面図
【図４】本発明装飾パネル体の要部拡大横断面図
【図５】本発明装飾パネル体の係合部材の全体図であり、（Ａ）が平面図、（Ｂ）が正面図、（Ｃ）が側面図
【図６】本発明装飾パネル体の他の例を表わす要部拡大縦断面図
【図７】従来の装飾パネル体を表わす正面図
【図８】従来の装飾パネル体の要部拡大縦断面図
【符号の説明】
【００１７】
１      装飾パネル体
２      上下横胴縁
３      左右縦框
４      枠体
５      横格子部材
６      縦子部材
８      係合部材
【図１】
2005076342.tif 000003
【図２】
2005076342.tif 000004
【図３】
2005076342.tif 000005
【図４】
2005076342.tif 000006
【図５】
2005076342.tif 000007
【図６】
2005076342.tif 000008
【図７】
2005076342.tif 000009
【図８】
2005076342.tif 000010